(57)【要約】  本発明は、式（Ｉ）で示され、その式中、一方の点線は炭素−炭素単結合を表し、もう一方は炭素−炭素二重結合を表し、かつＲは、水素原子、またはＣ1〜Ｃ4アルキル基もしくはアルケニル基を表す化合物のその立体異性体のいずれか１つの形またはそれらの混合物の、賦香性成分としての使用、ならびに前記化合物を含有する賦香性組成物および消費者製品に関する。
2019520448.tif 000002
【特許請求の範囲】
【請求項１】
式（Ｉ）
【化１】
2019520448.tif 000020
（式中、一方の点線は炭素−炭素単結合を表し、もう一方は炭素−炭素二重結合を表し、かつＲは、水素原子、またはＣ1〜Ｃ4アルキル基もしくはアルケニル基を表す）の化合物のその立体異性体のいずれか１つの形またはそれらの混合物の、賦香性成分としての使用。
【請求項２】
前記化合物は、式
【化２】
2019520448.tif 000021
（式中、Ｒは、請求項１中と同じ意味を有する）の化合物のその立体異性体のいずれか１つの形またはそれらの混合物であることを特徴とする、請求項１記載の使用。
【請求項３】
Ｒは、Ｍｅ基、Ｅｔ基、ｉＰｒ基、ｎＰｒ基、またはプロパ−２−エン−２−イル基を表すことを特徴とする、請求項１記載の使用。
【請求項４】
Ｒは、Ｍｅ基、またはＥｔ基を表すことを特徴とする、請求項１記載の使用。
【請求項５】
前記化合物は、１−（（１Ｚ）−シクロドデカ−１，５，９−トリエン−１−イル）エタン−１−オンであることを特徴とする、請求項１記載の使用。
【請求項６】
ｉ）請求項１から５までのいずれか１項に定義される少なくとも１種の式（Ｉ）の化合物と、
ｉｉ）香料キャリアーおよび香料基剤からなる群から選択される少なくとも１種の成分と、
ｉｉｉ）任意に、少なくとも１種の香料助剤と、
を含む、賦香性組成物。
【請求項７】
請求項１から５までのいずれか１項に定義される少なくとも１種の式（Ｉ）の化合物、または請求項６に定義される組成物を含む、賦香消費者製品。
【請求項８】
前記香料消費者製品が、香料、ファブリックケア製品、ボディケア製品、化粧用調剤、スキンケア製品、エアケア製品またはホームケア製品であることを特徴とする、請求項７記載の賦香消費者製品。
【請求項９】
前記香料消費者製品は、精製香料、スプラッシュもしくはオードパルファム、コロン、シェーブローションもしくはアフターシェーブローション、液体洗剤もしくは固形洗剤、ファブリック柔軟剤、ファブリックリフレッシャー、アイロン水、ペーパークリーナー、漂白剤クリーナー、カーペットクリーナー、カーテン手入れ用製品、シャンプー、染髪用調剤、カラーケア製品、整髪製品、デンタルケア製品、消毒薬、インティメートケア製品、ヘアスプレー、バニシングクリーム、デオドラントもしくは制汗剤、脱毛剤、タニング用製品もしくは日焼け用製品、ネイル用製品、スキンクレンジング、メークアップ、賦香石けん、シャワー用もしくはバス用のムース、オイルもしくはジェル、または足用／手用ケア製品、衛生製品、エアーフレッシュナー、「すぐに使える」粉末状エアーフレッシュナー、カビ取り剤、調度品ケア、ワイプ、食器用洗剤もしくは硬質表面用洗剤、皮革手入れ用製品、または車手入れ用製品であることを特徴とする、請求項７記載の賦香消費者製品。
【請求項１０】
式
【化３】
2019520448.tif 000022
（式中、一方の点線は炭素−炭素単結合を表し、もう一方は炭素−炭素二重結合を表し、かつＲ1は、水素原子、またはＣ1〜Ｃ3アルキル基もしくはアルケニル基を表す）の化合物。
【発明の詳細な説明】
【技術分野】
【０００１】
本発明は、香料の分野に関連する。より具体的には、本発明は、以下に定義される１−アセチル誘導体、および該誘導体の賦香性成分としての使用に関する。したがって、ここで述べられることに続いて、本発明はまた、賦香消費者製品の一部としての本発明の化合物を含む。
【０００２】
先行技術
本発明者らが最善で知る限り、本発明の化合物自体は公知であるが（Ｊ．Ｇｒａｅｆｅ  ｅｔ  ａｌ，ｉｎ  Ｔｅｔｒａｈｅｄｒｏｎ  １９７０，２６，２６７７を参照）、化学製品としてのみ報告されているにすぎない。その先行技術は、式（Ｉ）の化合物の感覚刺激特性、または香料の分野における前記化合物の使用を一切報告も示唆もしていない。
【０００３】
本発明者らが最善で知る限り、香料において有用である可能性があると報告された最も近い構造類似体は、シクロドデカジエンの部分的に水素化された１−アセチル誘導体であり（国際公開第９９／６５８５２号パンフレット（ＷＯ９９／６５８５２）に報告されている）、一般的なウッディアンバーリーでムスキーな匂いを有すると記載されている。前記先行技術は、該ジエン誘導体が、安定性試験において中程度ないし不十分な性能を有し、良好な持続性を有することを示している。本発明のトリエンが、改善された性能を有する有用な香料成分であり得るということはどこにも示唆されていない。
【０００４】
本発明の説明
ここで、本発明者らは、驚くべきことに、式
【化１】
2019520448.tif 000003
（式中、一方の点線は炭素−炭素単結合を表し、もう一方は炭素−炭素二重結合を表し、かつＲは、水素原子、またはＣ1〜Ｃ4アルキル基もしくはアルケニル基を表す）の化合物のその立体異性体のいずれか１つの形またはそれらの混合物が、例えばウッディでパウダリーなイオノン型の匂いノートの付与のために賦香性成分として使用され得ることを見出した。
【０００５】
明瞭にするために、「式中、一方の点線は炭素−炭素単結合を表し、もう一方は炭素−炭素二重結合を表す」または同等の表現は、当業者によって理解される通常の意味、すなわち前記点線によってつながった炭素原子、例えば炭素１および２の間の全結合（実線および点線）が炭素−炭素単結合または二重結合であることを意味する。
【０００６】
本発明の任意の実施形態によれば、前記化合物（Ｉ）は、Ｃ13〜Ｃ17化合物、好ましくはＣ14〜Ｃ16化合物である。
【０００７】
本発明の任意の実施形態によれば、前記化合物（Ｉ）は、式
【化２】
2019520448.tif 000004
（式中、Ｒは、式（Ｉ）中と同じ意味を有する）の化合物のその立体異性体のいずれか１つの形またはそれらの混合物である。
【０００８】
本発明の任意の実施形態によれば、前記化合物（Ｉ）は、式
【化３】
2019520448.tif 000005
（式中、Ｒは、式（Ｉ）中と同じ意味を有する）の化合物のその立体異性体のいずれか１つの形またはそれらの混合物である。
【０００９】
本発明の任意の実施形態によれば、前記本発明の化合物は、式中のＲが水素原子またはＣ1〜Ｃ3アルキル基もしくはアルケニル基を表す化合物である。好ましくは、前記本発明の化合物は、式中のＲがＣ1〜Ｃ3アルキル基もしくはアルケニル基を表す化合物である。特に、Ｍｅ、Ｅｔ、iＰｒ、nＰｒ、プロパ−２−エン−２−イル、またはシクロプロピル等のＲ基を挙げることができる。好ましくは、Ｍｅ、Ｅｔ、iＰｒまたはnＰｒ、プロパ−２−エン−２−イル、さらにより好ましくはＭｅ、Ｅｔ、またはiＰｒ、さらにより好ましくはＭｅまたはＥｔ等のＲ基を挙げることができる。
【００１０】
明瞭にするために、表現「その立体異性体のいずれか１つ」または同等の表現は、当業者により理解される通常の意味、すなわち本発明の化合物が任意の純粋なジアステレオマーであり得る（例えば、それぞれの炭素−炭素二重結合が１つの特定の配置ＥまたはＺにある）ことを意味する。
【００１１】
本発明の前記実施形態のいずれか１つによれば、前記化合物は、そのＥ異性体もしくはＺ異性体またはそれらの混合物の形であり得る。例えば本発明は、式（Ｉ）で示され、同じ化学構造を有するが、二重結合の配置の点で異なる１種以上の化合物を含む、または該化合物からなる物の組成物を含む。特に、化合物（ＩＩ）は、ジアステレオマー、例えば（１Ｚ，５Ｅ，９Ｅ）、（１Ｚ，５Ｚ，９Ｅ）、（１Ｚ，５Ｅ，９Ｚ）、（１Ｚ，５Ｚ，９Ｚ）、（１Ｅ，５Ｅ，９Ｅ）、（１Ｅ，５Ｚ，９Ｅ）、（１Ｅ，５Ｚ，９Ｚ）、（１Ｅ，５Ｅ，９Ｚ）またはそれらの混合物の形であり得、かつ化合物（ＩＩ’）は、ジアステレオマー、例えば（１Ｚ，４Ｅ，８Ｅ）、（１Ｚ，４Ｚ，８Ｅ）、（１Ｚ，４Ｅ，８Ｚ）、（１Ｚ，４Ｚ，８Ｚ）、（１Ｅ，４Ｅ，８Ｅ）、（１Ｅ，４Ｚ，８Ｅ）、（１Ｅ，４Ｚ，８Ｚ）、（１Ｅ，４Ｅ，８Ｚ）またはそれらの混合物の形であり得る。
【００１２】
明瞭にするために、１つだけの炭素−炭素二重結合の立体化学のみ、例えば（１Ｚ）を指定することによりジアステレオマーの混合物を示すことができるが、それは、当該技術分野における通常の意味、例えば（１Ｚ）の場合には、（１Ｚ，５Ｅ，９Ｅ）、（１Ｚ，５Ｚ，９Ｅ）、（１Ｚ，５Ｅ，９Ｚ）および（１Ｚ，５Ｚ，９Ｚ）ジアステレオマーからなる混合物を意味する。
【００１３】
特に、本発明の化合物は、主として立体異性体（１Ｚ，５Ｅ，９Ｅ）、（１Ｚ，５Ｅ，９Ｚ）および（１Ｚ，５Ｚ，９Ｅ）を含有し、残りは本質的に（１Ｚ，５Ｚ，９Ｚ）立体異性体である混合物の形であり得る。そのような場合に、そのような立体異性体の混合物について、質量／質量比（１Ｚ，５Ｅ，９Ｅ）／［（１Ｚ，５Ｅ，９Ｚ）＋（１Ｚ，５Ｚ，９Ｅ））］が定義され得る。前記実施形態の特定の態様によれば、化合物（Ｉ）は、３０／７０から１／９９の間に含まれる（１Ｚ，５Ｅ，９Ｅ）／［（１Ｚ，５Ｅ，９Ｚ）＋（１Ｚ，５Ｚ，９Ｅ））］比を有する立体異性体の混合物の形である。好ましくは、前記立体異性体の混合物は、２５／７５から２／９８の間に含まれる（１Ｚ，５Ｅ，９Ｅ）／［（１Ｚ，５Ｅ，９Ｚ）＋（１Ｚ，５Ｚ，９Ｅ））］比を有する。さらにより好ましくは、前記立体異性体の混合物は、１５／８５から２／９８の間に含まれる（１Ｚ，５Ｅ，９Ｅ）／［（１Ｚ，５Ｅ，９Ｚ）＋（１Ｚ，５Ｚ，９Ｅ））］比を有する。好ましくは、前記立体異性体の混合物の主要な異性体は、異性体（１Ｚ，５Ｅ，９Ｚ）である。
【００１４】
本発明の化合物の具体的な例としては、限定されない例として、実施例１のｉｉｉ）で得られるような、１−（シクロドデカ−１，５，９−トリエン−１−イル）エタン−１−オンの６／９４の（１Ｚ，５Ｅ，９Ｅ）／［（１Ｚ，５Ｅ，９Ｚ）＋（１Ｚ，５Ｚ，９Ｅ））］異性体比を有する異性体（１Ｚ，５Ｅ，９Ｅ）、（１Ｚ，５Ｅ，９Ｚ）および（１Ｚ，５Ｚ，９Ｅ）の混合物の形を挙げることができ、それは、シダー、ベチバー、アンバーリーな側面を有するウッディノートを特徴とし、イオノン、イリス、パウダリーなノートを連想させる。上記化合物はまた、モッシーノートを有する。
【００１５】
その他の例としては、１−（（１Ｚ，５Ｅ，９Ｚ）−シクロドデカ−１，５，９−トリエン−１−イル）エタン−１−オンを挙げることができ、それは、上述の化合物と同様の匂いを有するが、それ自体はモッシーノートを有さないことにより区別される。
【００１６】
本発明の化合物のその他の具体的な限定されない例としては、以下の第１表中の化合物を挙げることができる。
【００１７】
第１表：本発明の化合物、およびそれらの匂い特性
【表１】
2019520448.tif 000006
【００１８】
本発明の特定の実施形態によれば、式（Ｉ）の化合物は、１−（シクロドデカ−１，５，９−トリエン−１−イル）プロパン−１−オン、１−（シクロドデカ−１，５，９−トリエン−１−イル）−２−メチルプロパン−１−オン、１−（（１Ｚ，５Ｅ，９Ｚ）−シクロドデカ−１，５，９−トリエン−１−イル）エタン−１−オン、または１−（１Ｚ）−シクロドデカ−１，５，９−トリエン−１−イル）エタン−１−オンである。
【００１９】
本発明の化合物の匂いを先行技術のジエン化合物の匂いと比較すると、本発明の化合物はそれ自体、異なる匂いの特徴の点と、より力強くかつ持続的な特徴を有する点で区別される。
【００２０】
例えば１−（（１Ｚ）−シクロドデカ−１，５，９−トリエン−１−イル）エタン−１−オンと相応の先行技術のジエンとを比較すると、本発明の化合物は、イオノンパウダリーノート、モッシーノートを有する点と、より温かくかつ強力なウッディな特徴である点と、先行技術の化合物のファッティおよびダスティなコノテーションがないという点で異なる。前記相違点は、本発明の化合物および先行技術の化合物を、それぞれ異なる使用に適したものにし、すなわち異なる感覚刺激的印象を付与するのに適したものにする。
【００２１】
上述のように、本発明は、式（Ｉ）の化合物の賦香性成分としての使用に関する。言い換えると、本発明は、賦香性組成物または賦香物品または表面の匂い特性を付与、増強、改善または変更する方法またはプロセスであって、前記組成物または物品に、有効量の式（Ｉ）の少なくとも１種の化合物を添加して、例えばその典型的なノートを付与することを含む方法に関する。
【００２２】
「式（Ｉ）の化合物の使用」とは、本明細書ではまた、化合物（Ｉ）を含み、香料産業において有利に使用することができる任意の組成物の使用であるとも理解されるべきである。
【００２３】
実際に賦香性成分として有利に使用することができる前記組成物も、本発明の主題である。
【００２４】
したがって、本発明のもう１つの主題は、
ｉ）賦香性成分として、先に定義された少なくとも１種の本発明の化合物と、
ｉｉ）香料キャリアーおよび香料基剤からなる群から選択される少なくとも１種の成分と、
ｉｉｉ）任意に、少なくとも１種の香料助剤と、
を含む、賦香性組成物である。
【００２５】
「香料キャリアー」とは、香料の観点から実際に中立的な材料、すなわち賦香性成分の感覚刺激特性を大きく変更しない材料を意味する。前記キャリアーは、液体または固体であり得る。
【００２６】
液体キャリアーとしては、限定されない例として、乳化系、すなわち溶剤および界面活性剤、または香料で通常使用される溶剤を挙げることができる。香料で通常使用される溶剤の性質および種類の詳細な記載は、網羅的にすることはできない。しかしながら、限定されない例として、ブチレングリコールもしくはプロピレングリコール、グリセロール、ジプロピレングリコールおよびそのモノエーテル、１，２，３−プロパントリイルトリアセテート、ジメチルグルタレート、ジメチルアジペート、１，３−ジアセチルオキシプロパン−２−イルアセテート、ジエチルフタレート、イソプロピルミリステート、ベンジルベンゾエート、ベンジルアルコール、２−（２−エトキシエトキシ）−１−エタノール、トリエチルシトレートのような溶剤またはそれらの混合物を挙げることができ、それらが最も一般的に使用される。香料キャリアーおよび香料基剤の両方を含む組成物については、先に規定されたもの以外の適切な香料キャリアーは、エタノール、水／エタノール混合物、リモネンもしくはその他のテルペン類、イソパラフィン類、例えばＩｓｏｐａｒ（登録商標）（供給元：Ｅｘｘｏｎ  Ｃｈｅｍｉｃａｌ）の商標として知られるイソパラフィン類またはグリコールエーテル類およびグリコールエーテルエステル類、例えばＤｏｗａｎｏｌ（登録商標）（供給元：Ｄｏｗ  Ｃｈｅｍｉｃａｌ  Ｃｏｍｐａｎｙ）の商標として知られるグリコールエーテルエステル類、または水素化ひまし油、例えばＣｒｅｍｏｐｈｏｒ（登録商標）ＲＨ４０（供給元：ＢＡＳＦ）の商標として知られる水素化ひまし油であってよい。
【００２７】
固体キャリアーとは、そこに賦香性組成物または賦香性組成物の幾つかの要素が化学的または物理的に結合され得る材料を表すことを意図する。一般的に、そのような固体キャリアーは、該組成物の安定化のため、または該組成物もしくは幾つかの成分の蒸発速度を抑えるためのいずれかのために使用される。固体キャリアーは、当該技術分野で現在使用されており、当業者は、所望の効果に至る手法を把握している。しかしながら、固体キャリアーの限定されない例としては、吸収性ゴムもしくはポリマー、または無機材料、例えば多孔質ポリマー、シクロデキストリン、木材系材料、有機ゲルもしくは無機ゲル、クレイ、石膏、タルクもしくはゼオライトを挙げることができる。
【００２８】
固体キャリアーのその他の限定されない例としては、カプセル化材料を挙げることができる。そのような材料の例は、壁形成材料および可塑化材料、例えば単糖類、二糖類もしくは三糖類、天然デンプンもしくは化工デンプン、親水コロイド、セルロース誘導体、ポリビニルアセテート、ポリビニルアルコール、タンパク質もしくはペクチン、またはさらに、Ｈ．Ｓｃｈｅｒｚ著の親水コロイド：食品における安定化剤、増粘剤およびゲル化剤（Ｈｙｄｒｏｋｏｌｌｏｉｄｅ：Ｓｔａｂｉｌｉｓａｔｏｒｅｎ，Ｄｉｃｋｕｎｇｓ−  ｕｎｄ  Ｇｅｌｉｅｒｍｉｔｔｅｌ  ｉｎ  Ｌｅｂｅｎｓｍｉｔｔｅｌｎ）、モノグラフシリーズ  食品化学、食品品質の第２巻（Ｂａｎｄ  ２  ｄｅｒ  Ｓｃｈｒｉｆｔｅｎｒｅｉｈｅ  Ｌｅｂｅｎｓｍｉｔｔｅｌｃｈｅｍｉｅ，  Ｌｅｂｅｎｓｍｉｔｔｅｌｑｕａｌｉｔａｅｔ）、Ｂｅｈｒ’ｓ出版（Ｂｅｈｒ’ｓ  Ｖｅｒｌａｇ  ＧｍｂＨ  ＆  Ｃｏ．）、ハンブルク、１９９６年のような参考書に挙げられる材料を含んでもよい。カプセル化は、当業者に良く知られた方法であり、例えば噴霧乾燥、凝集もしくはさらに押出等の技術を使用することにより行うことができ、またはコアセルベーションおよび複合コアセルベーション技術を含む被覆カプセル化からなる。
【００２９】
固体キャリアーの限定されない例としては、アミノプラスト、ポリアミド、ポリエステル、ポリ尿素もしくはポリウレタン型の樹脂またはそれらの混合物（前記樹脂のすべては当業者に良く知られている）を有するコア・シェルカプセルであって、重合、界面重合、コアセルベーションもしくは任意にポリマー安定化剤またはカチオン性コポリマーの存在下で一緒にすることによって誘導される相分離法のような技術（前記技術のすべては先行技術に記載されている）を使用したカプセルを挙げることができる。
【００３０】
尿素、ベンゾグアナミン、グリコールウリル、メラミン、メチロールメラミン、メチル化メタノールメラミン、グアナゾール等の樹脂、およびそれらの混合物は、アルデヒド（例えばホルムアルデヒド、２，２−ジメトキシエタナール、グリオキサール、グリオキシル酸またはグリコールアルデヒドおよびそれらの混合物）とアミンとの重縮合によって製造され得る。その一方で、商標Ｕｒａｃ（登録商標）（供給元：Ｃｙｔｅｃ  Ｔｅｃｈｎｏｌｏｇｙ  Ｃｏｒｐ．）、Ｃｙｍｅｌ（登録商標）（供給元：Ｃｙｔｅｃ  Ｔｅｃｈｎｏｌｏｇｙ  Ｃｏｒｐ．）、Ｕｒｅｃｏｌｌ（登録商標）またはＬｕｒａｃｏｌｌ（登録商標）（供給元：ＢＡＳＦ）として市販されている予め形成された樹脂のアルキロール化ポリアミンを使用することができる。
【００３１】
その他の樹脂は、ポリオール、例えばグリセロールおよびポリイソシアネート、例えばヘキサメチレンジイソシアネートの三量体、イソホロンジイソシアネートもしくはキシリレンジイソシアネートの三量体またはヘキサメチレンジイソシアネートのビウレットあるいはキシリレンジイソシアネートとトリメチロールプロパンとの三量体（商品名Ｔａｋｅｎａｔｅ（登録商標）として知られる、供給元：Ｍｉｔｓｕｉ  Ｃｈｅｍｉｃａｌｓ）、なかでもキシリレンジイソシアネートとトリメチロールプロパンとの三量体およびヘキサメチレンジイソシアネートのビウレットの重縮合により製造される樹脂である。
【００３２】
アミノ樹脂、すなわちメラミン系樹脂とアルデヒドとの重縮合による香料のカプセル化に関連した影響力の大きな文献の幾つかは、Ｋ．ＤｉｅｔｒｉｃｈらによってＡｃｔａ  Ｐｏｌｙｍｅｒｉｃａ，１９８９年，第４０巻，第２４３頁、第３２５頁および第６８３頁、ならびに１９９０年，第４１巻，第９１頁において発表されたような文献を含む。そのような文献は、特許文献にさらに詳説されかつ例示された従来技術の方法に従ってそのようなコア・シェル型マイクロカプセルを製造することに影響を及ぼす様々なパラメータを既に記載している。米国特許第４，３９６，６７０号明細書（ＵＳ４，３９６，６７０）（Ｗｉｇｇｉｎｓ  Ｔｅａｐｅ  Ｇｒｏｕｐ  Ｌｉｍｉｔｅｄ）は、その特許文献の該当する初期の例である。それ以来、多くの他の著者はこの分野で文献を拡充しており、ここですべての発表された進展を網羅することはできないであろうが、カプセル化技術における一般知識は非常に重要である。そのようなマイクロカプセルの適切な使用を開示する、より近年の適切な文献は、例えばＨ．Ｙ．Ｌｅｅら著のマイクロカプセル化ジャーナル（Ｊｏｕｒｎａｌ  ｏｆ  Ｍｉｃｒｏｅｎｃａｐｓｕｌａｔｉｏｎ），２００２年，第１９巻，第５５９〜５６９頁、国際特許出願の国際公開第０１／４１９１５号パンフレット（ＷＯ０１／４１９１５）、またはさらにＳ．ＢｏｎｅらによってＣｈｉｍｉａ，２０１１年，第６５巻，第１７７〜１８１頁において指摘されている。
【００３３】
「香料基剤」とは、本明細書では、少なくとも１種の賦香性補助成分を含む組成物を意味している。
【００３４】
前記賦香性補助成分は、式（Ｉ）の化合物ではない。さらに、「賦香性補助成分」とは、本明細書においては、賦香性調製物または快い効果を付与する組成物において使用される化合物を意味している。言い換えると、何かに賦香するものとみなされるべき、そのような補助成分は、当業者によれば、組成物の匂いを良い方向にまたは心地よく、かつ有する匂いと同じにならないように付与または改変することができるものと認識されるはずである。
【００３５】
該基剤中に存在する賦香性補助成分の性質および種類は、本明細書のより詳細な説明を保証するものではなく、それらはいずれにせよ網羅的なものではなく、ここで、当業者は、その一般知識に基づき、かつ意図される使用または適用および所望の感覚刺激効果に従ってそれらを選択することができる。一般用語においては、これらの賦香性補助成分は、アルコール類、ラクトン類、アルデヒド類、ケトン類、エステル類、エーテル類、アセテート類、ニトリル類、テルペノイド類、窒素系もしくは硫黄系複素環式化合物および精油のような様々な化学物質クラスに属するものであり、前記賦香性補助成分は、天然由来もしくは合成由来のものであるか、またはプロパフューム（すなわち、分解に際して賦香性成分を遊離する化合物）であってさえもよい。プロパフュームの例は、文献、例えばＨｅｒｒｍａｎｎによる出版文献である応用化学国際版（Ａｎｇｅｗａｎｄｔｅ  Ｃｈｅｍｉｅ  Ｉｎｔｅｒｎａｔｉｏｎａｌ  Ｅｄｉｔｉｏｎ）、２００７年、第４６巻、第５８３６頁〜５８６３頁、または同じ種類のより最近の論文だけでなく、その分野の豊富な特許文献に記載されている。
【００３６】
特に、香料配合物で通常使用される賦香性補助成分、例えば
−  アルデハイディック成分：デカナール、ドデカナール、２−メチル−ウンデカナール、１０−ウンデセナール、オクタナール、および／またはノネナール；
−  アロマティック−ハーバル成分：ユーカリ油、樟脳、ユーカリプトール、メントールおよび／またはα−ピネン；
−  バルサミック成分：クマリン、エチルバニリンおよび／またはバニリン；
−  シトラス成分：ジヒドロミルセノール、シトラール、オレンジ油、リナリルアセテート、シトロネリルニトリル、オレンジテルペン、リモネン、１−ｐ−メンテン−８−イルアセテートおよび／または１，４（８）−ｐ−メンタジエン；
−  フローラル成分：メチルジヒドロジャスモネート、リナロオール、シトロネロール、フェニルエタノール、３−（４−ｔ−ブチルフェニル）−２−メチルプロパナール、ヘキシルシンナムアルデヒド、ベンジルアセテート、ベンジルサリチレート、テトラヒドロ−２−イソブチル−４−メチル−４（２Ｈ）−ピラノール、β−イオノン、メチル２−（メチルアミノ）ベンゾエート、（Ｅ）−３−メチル−４−（２，６，６−トリメチル−２−シクロヘキセン−１−イル）−３−ブテン−２−オン、ヘキシルサリチレート、３，７−ジメチル−１，６−ノナジエン−３−オール、３−（４−イソプロピルフェニル）−２−メチルプロパナール、ベルジルアセテート、ゲラニオール、ｐ−メンタ−１−エン−８−オール、４−（１，１−ジメチルエチル）−１−シクロヘキシルアセテート、１，１−ジメチル−２−フェニルエチルアセテート、４−シクロヘキシル−２−メチル−２−ブタノール、アミルサリチレート、高ｃｉｓ−メチルジヒドロジャスモネート、３−メチル−５−フェニル−１−ペンタノール、ベルジルプロピオネート、ゲラニルアセテート、テトラヒドロリナロオール、ｃｉｓ−７−ｐ−メンタノール、プロピル（Ｓ）−２−（１，１−ジメチルプロポキシ）プロパノエート、２−メトキシナフタレン、２，２，２−トリクロロ−１−フェニルエチルアセテート、４／３−（４−ヒドロキシ−４−メチルペンチル）−３−シクロヘキセン−１−カルバルデヒド、アミルシンナムアルデヒド、４−フェニル−２−ブタノン、イソノニルアセテート、４−（１，１−ジメチルエチル）−１−シクロヘキシルアセテート、ベルジルイソブチレートおよび／またはメチルイオノン異性体の混合物；
−  フルーティー成分：γ−ウンデカラクトン、４−デカノライド、エチル２−メチルペンタノエート、ヘキシルアセテート、エチル２−メチルブタノエート、γ−ノナラクトン、アリルヘプタノエート、２−フェノキシエチルイソブチレート、エチル２−メチル−１，３−ジオキソラン−２−アセテートおよび／またはジエチル１，４−シクロヘキサンジカルボキシレート；
−  グリーン成分：２，４−ジメチル−３−シクロヘキセン−１−カルバルデヒド、２−ｔ−ブチル−１−シクロヘキシルアセテート、スチラリルアセテート、アリル（２−メチルブトキシ）アセテート、４−メチル−３−デセン−５−オール、ジフェニルエーテル、（Ｚ）−３−ヘキセン−１−オールおよび／または１−（５，５−ジメチル−１−シクロヘキセン−１−イル）−４−ペンテン−１−オン；
−  ムスク成分：１，４−ジオキサ−５，１７−シクロヘプタデカンジオン、ペンタデセノライド、３−メチル−５−シクロペンタデセン−１−オン、１，３，４，６，７，８−ヘキサヒドロ−４，６，６，７，８，８−ヘキサメチル−シクロペンタ［Ｇ］イソクロメン、（１Ｓ，１’Ｒ）−２−［１−（３’，３’−ジメチル−１’−シクロヘキシル）エトキシ］−２−メチルプロピルプロパノエート、および／または（１Ｓ，１’Ｒ）−［１−（３’，３’−ジメチル−１’−シクロヘキシル）エトキシカルボニル］メチルプロパノエート；
−  ウッディ成分：１−（オクタヒドロ−２，３，８，８−テトラメチル−２−ナフタレニル）−１−エタノン、パチュリ油、パチュリ油のテルペン分画、（１’Ｒ，Ｅ）−２−エチル−４−（２’，２’，３’−トリメチル−３’−シクロペンテン−１’−イル）−２−ブテン−１−オール、２−エチル−４−（２，２，３−トリメチル−３−シクロペンテン−１−イル）−２−ブテン−１−オール、メチルセドリルケトン、５−（２，２，３−トリメチル−３−シクロペンテニル）−３−メチルペンタン−２−オール、１−（２，３，８，８−テトラメチル−１，２，３，４，６，７，８，８ａ−オクタヒドロナフタレン−２−イル）エタン−１−オンおよび／またはイソボルニルアセテート；
−  その他の成分（例えば、アンバー、パウダリースパイシー、またはウォータリー）：ドデカヒドロ−３ａ，６，６，９ａ−テトラメチル−ナフト［２，１−ｂ］フラン、およびその立体異性体のいずれか、ヘリオトロピン、アニスアルデヒド、オイゲノール、シンナムアルデヒド、クローブ油、３−（１，３−ベンゾジオキソール−５−イル）−２−メチルプロパナール、および／または３−（３−イソプロピル−１−フェニル）ブタナール
を挙げることができる。
【００３７】
本発明による香料基剤は、上述の賦香性補助成分に制限されるものでなくてもよく、多くのこれら以外の補助成分は、いずれにせよ、Ｓ．Ａｒｃｔａｎｄｅｒ著の香料およびフレーバーの化学（Ｐｅｒｆｕｍｅ  ａｎｄ  Ｆｌａｖｏｒ  Ｃｈｅｍｉｃａｌｓ）、１９６９年、モントクレア（米国、ニュージャージー州）もしくはそのより最新版、または同じ性質のその他の論文、ならびに香料分野における豊富な特許文献などの参考書に列挙されている。また、前記補助成分は、様々な種類の賦香性化合物を制御様式で放出することが知られる化合物であってもよいと理解される。
【００３８】
「香料助剤」とは、本明細書においては、追加的に加えられる恩恵、例えば色、特に耐光性、化学的安定性等を付与することができる成分を意味している。賦香性組成物中で通常使用される助剤の性質および種類の詳細な説明は、網羅し得るものではないが、前記成分は当業者に良く知られていると述べる必要がある。具体的な限定されない例としては、以下の、粘度剤（例えば、界面活性剤、増粘剤、ゲル化調節剤および／またはレオロジー調節剤）、安定化剤（例えば、保存剤、酸化防止剤、熱／光安定化剤および／または緩衝剤もしくはキレート化剤、例えばＢＨＴ）、着色剤（例えば、染料および／または顔料）、保存剤（例えば、抗細菌剤または抗微生物剤または抗真菌剤もしくは炎症抑制剤）、研磨材、皮膚冷感剤、固定剤、駆虫剤、軟膏、ビタミンおよびそれらの混合物を挙げることができる。
【００３９】
当業者であれば、所望の効果に最適な配合物を、賦香性組成物の上述の成分を混合すること、単純に当該技術分野の標準的知識を適用すること、そして試行錯誤の方法論によって設計することが十分に可能であると理解される。
【００４０】
少なくとも１種の式（Ｉ）の化合物および少なくとも１種の香料キャリアーからなる本発明の組成物は、本発明の特定の実施形態、ならびに少なくとも１種の式（Ｉ）の化合物、少なくとも１種の香料キャリアー、少なくとも１種の香料基剤、および任意に少なくとも１種の香料助剤からなる。
【００４１】
特定の実施形態によれば、上述の組成物は、１種より多くの式（Ｉ）の化合物を含み、そして本発明の様々な化合物の香調を有するアコードまたは香料を調香師が調合することを可能とし、こうして作製の目的のための新たな構成要素が作製される。
【００４２】
明瞭にするために、化学合成から直接的に得られる任意の混合物、例えば適切な精製をしておらず、本発明の化合物が出発物、中間体または最終生成物として含まれることとなる反応媒体は、前記混合物により本発明による化合物が香料のために適切な形で得られない限りは、本発明による賦香性組成物としてはみなされ得ないとも理解される。このように未精製の反応混合物は、一般的に特段の特定がない限り本発明からは除外される。
【００４３】
本発明の化合物は、有利には、現代の香料のあらゆる分野において、すなわち精製香料または機能性香料の分野において、前記化合物（Ｉ）が添加される消費者製品の匂いを良い方向に付与または改変するために使用することもできる。したがって、本発明のもう１つの主題は、賦香性成分として、先に定義された式（Ｉ）の少なくとも１種の化合物を含む賦香消費者製品からなる。
【００４４】
本発明の化合物は、そのままで、または本発明の賦香性組成物の一部として加えることができる。
【００４５】
明瞭にするために、「賦香消費者製品」とは、適用される表面または空間（例えば皮膚、毛髪、テキスタイルまたは家内表面）に少なくとも１種の心地よい賦香性効果を送達する消費者製品を表すものと意図している。言い換えると、本発明による賦香消費者製品は、所望の消費者製品に相当する機能性配合物および任意に追加の恩恵剤（benefit agent）と、少なくとも１種の本発明の化合物の感覚刺激的有効量とを含む賦香消費者製品である。明瞭にするために、前記賦香消費者製品は、不可食性製品である。
【００４６】
賦香消費者製品の成分の性質および種類は、本明細書のより詳細な説明を保証するものではなく、それらはいずれにせよ網羅的なものではなく、当業者は、その一般知識に基づき、かつ前記製品の性質および所望の効果に従ってそれらを選択することができる。
【００４７】
適切な賦香消費者製品の限定されない例には、香料、例えば精製香料、スプラッシュ、またはオードパルファム、コロンまたはシェーブローションもしくはアフターシェーブローション；ファブリックケア製品、例えば液体洗剤もしくは固形洗剤、ファブリック柔軟剤、液体または固体のセントブースター、ファブリックリフレッシャー、アイロン水、ペーパークリーナー、漂白剤クリーナー、カーペットクリーナー、カーテン手入れ用製品；ボディーケア製品、例えばヘアケア製品（例えば、シャンプー、染髪用調剤もしくはヘアースプレー、カラーケア製品、整髪製品、デンタルケア製品）、消毒薬、インティメートケア製品；化粧用調剤（例えば、肌用クリームもしくはローション、バニシングクリームまたはデオドラントもしくは制汗剤（例えば、スプレーまたはロールオン）、脱毛剤、タニング用製品もしくは日焼け用製品もしくは日焼け後製品、ネイル用製品、スキンクレンジング、メークアップ）、またはスキンケア製品（例えば、石けん、シャワー用もしくはバス用のムース、オイルもしくはジェル、衛生製品もしくは足用／手用ケア製品）；家内空間（部屋、冷蔵庫、食器棚、靴または車）および／または公共空間（ホール、ホテル、モール等）で使用することができるエアケア製品、例えばエアーフレッシュナーもしくは「すぐに使える」粉末状エアーフレッシュナー；またはホームケア製品、例えばカビ取り剤、調度品ケア製品、ワイプ、食器用洗剤もしくは硬質表面用（例えば、床、浴槽、サニタリーまたは窓）洗剤、皮革手入れ用製品；車手入れ用製品、例えば磨き剤、ワックスもしくはプラスチッククリーナーが含まれる。
【００４８】
上述の賦香消費者製品の幾つかは、本発明の化合物にとって攻撃的な媒体であり得るので、本発明の化合物を、早期の分解から、例えばカプセル化によって、または該化合物を酵素、光、熱もしくはｐＨ変化のような適切な外部刺激に際して本発明の成分を放出するのに適した別の化学物質に化学的に結合させることによって保護する必要があることがある。
【００４９】
本発明による化合物が上述の様々な製品または組成物中に導入され得る割合は、広い範囲内の値の幅を有する。これらの値は、本発明による化合物が、当該技術分野で通常使用される賦香性補助成分、溶剤または添加剤と混合される場合には、賦香されるべき物品の性質および所望の感覚刺激効果ならびに所定の基剤における補助成分の性質に依存している。
【００５０】
例えば、賦香性組成物の場合には、典型的な濃度は、本発明の化合物が導入される組成物の質量に対して０．０５質量％〜２０質量％またはさらに高い本発明の化合物のオーダーである。賦香消費者製品の場合には、典型的な濃度は、本発明の化合物が導入される消費者製品の質量に対して０．０１質量％〜１０質量％またはさらに高い本発明の化合物のオーダーである。
【００５１】
本発明の化合物は、アセチレンをシクロドデカ−４，８−ジエン−１−オンに付加することに続き、得られた１−アルキニルシクロドデカ−４，８−ジエン−１−オールを脱水することで、１−アルキニルシクロドデカ−１，５，９−トリエンが形成され、それを次いで、三重結合の水和により変換することで、所望の本発明の化合物を得ることができる方法に従って製造することができる。前記脱水工程および水和工程は、ワンポットで実施することができ、当業者に良く知られた条件に従うループ転位として知られており、例えば条件は、独国特許第１９８４８３０５号明細書（ＤＥ１９８４８３０５）、国際公開第２０１５／１４４８３２号パンフレット（ＷＯ２０１５／１４４８３２）またはＯｒｇａｎｉｃ  Ｐｒｏｃｅｓｓ  Ｒｅｓｅａｒｃｈ＆Ｄｅｖｅｌｏｐｍｅｎｔ  ２００２，６，２１６に報告されている。したがって、本発明のもう１つの態様は、式
【化４】
2019520448.tif 000007
（式中、点線は先に指定されたのと同じ意味を有し、かつＲ1は水素原子またはＣ1〜Ｃ3アルキル基もしくはアルケニル基を表す）の中間生成物、および該中間生成物の、本発明の化合物の製造のための使用に関する。
【００５２】
もう１つの実施形態によれば、本発明の化合物は、トリメチルシランカルボニトリルをシクロドデカ−４，８−ジエン−１−オンに付加するのに続き、（トリメチルシリル）オキシ基を脱離させることで、１−シクロドデカ−１，５，９−トリエン−１−カルボニトリルおよび１−シクロドデカ−１，４，８−トリエン−１−カルボニトリルの混合物が形成され、それらを分離することができる方法に従って製造することができる。該ニトリル化合物は、次いでアルデヒドへと還元される。グリニャール試薬の添加に続き、酸化反応を行うことにより、本発明の化合物が得られる。
【００５３】
実施例
ここで本発明を以下の実施例によってさらに詳細に説明することとする。その際、略語は、当該技術分野の通常の意味を有する。温度は、摂氏度（℃）で示され、ＮＭＲスペクトルデータは、ＣＤＣｌ3（特に規定されなければ）中で1Ｈおよび13Ｃについては３６０ＭＨｚまたは４００ＭＨｚの機器で記録し、化学シフトδは、標準としてのＴＭＳに対してｐｐｍで示され、結合定数ＪはＨｚで表現される。
【００５４】
実施例１
先行技術の化合物１−（４，８−シクロドデカジエン−１−イル）−１−エタノンは、先行技術の国際公開第９９／６５８５２号パンフレット（ＷＯ９９／６５８５２）の実施例３で報告される方法により製造することができた。
匂い：ウッディ、シダー、ファッティ、ダスティ。
【００５５】
１−（シクロドデカ−１，５，９−トリエン−１−イル）エタン−１−オン（式（Ｉ）の化合物）の合成
ｉ）１−エチニルシクロドデカ−４，８−ジエン−１−オール（化合物Ａ）の製造：
ＬａＣｌ3・２ＬｉＣｌのＴＨＦ溶液（０．６Ｍ、２００ｍｌ、１２０ｍｍｏｌ）を、室温で、そのままのシクロドデカ−４，８−ジエン−１−オン（４Ｅ，８Ｅ（５％）異性体、４Ｅ，８Ｚ（４７％）異性体、４Ｚ，８Ｅ（４７％）異性体の混合物、国際公開第２０１２／１７５４３７号パンフレット（ＷＯ２０１２／１７５４３７）、７０．０５ｇ、３９３ｍｍｏｌ）に添加した。得られた溶液を、０℃〜５℃に冷却し、塩化エチニルマグネシウムのＴＨＦ溶液（０．５Ｍ、８００ｍｌ、４００ｍｍｏｌ）で４時間の期間にわたり処理した。得られた溶液を室温まで温め、その温度でＧＣ分析は反応の完了を示した。それを０℃に冷却し、塩化アンモニウムの飽和水溶液（２００ｍｌ）をゆっくり添加することにより処理した。次いで該反応物を、セライトを通じて濾過した。その濾液を、メチルｔ−ブチルエーテルで２回抽出した。それぞれの有機相を、水およびブラインで洗浄した。合した抽出物を、硫酸ナトリウムを通じて乾燥させた。該濾液の濾過および濃縮の後に、その生成物を、Ｆｉｓｈｅｒカラムを通じた分別蒸留により精製することで、以下の異性体混合物：６％−４５％−４９％を有する所望の生成物（５３．６７ｇ、２６３ｍｍｏｌ、６７％）が得られた。
ＧＣ−ＭＳ分析は、それぞれの異性体についての分子イオンを示す（Ｍ+  ２０４）。
【００５６】
【表２】
2019520448.tif 000008
【００５７】
ｉｉ）１−エチニルシクロドデカ−１，５，９−トリエン（化合物Ｂ）の製造：
４２．２ｇの化合物Ａ（４２．２ｇ、２０８ｍｍｏｌ）を、ギ酸（３４１ｇ、７．５ｍｏｌ）中に溶解させた。水（１４ｇ、７８０ｍｍｏｌ）を添加した。室温で３０分間にわたり撹拌した後に、その反応物を水へと注ぎ、メチルｔ−ブチルエーテルで２回抽出した。それぞれの有機相を、飽和重炭酸ナトリウム、水、およびブラインで洗浄した。合した抽出物を、硫酸ナトリウムを通じて乾燥させた。溶剤の蒸発後に得られた残留物を、バルブ・ツー・バルブ蒸留（１００℃／０．１ｍｂａｒ）により精製することで、２つの画分：
第１画分：１０．０２ｇの７７％純度の化合物（異性体混合物＝７％−２９％−４１％、４１．４ｍｍｏｌ）
第２画分：１８．２４ｇの６１％純度の化合物（異性体混合物＝５％−２２％−３４％、５９．７ｍｍｏｌ）
が得られた。
全収率＝１０１．１ｍｍｏｌ、４９％。
【００５８】
第１画分をさらに、シリカゲル上でのカラムクロマトグラフィー（溶離液：ヘプタン／酢酸エチル  ９９：１）に続いて、バルブ・ツー・バルブ蒸留（１００℃／０．１ｍｂａｒ）により精製することで、６．５４ｇ（９２％純度）の所望の生成物が、異性体混合物（７％−３６％−４９％）として得られた。
ＧＣ−ＭＳ分析は、それぞれの異性体についての分子イオンを示す（Ｍ+  １８６）。
【００５９】
ｉｉｉ）１−（シクロドデカ−１，５，９−トリエン−１−イル）エタン−１−オン（化合物Ｃ）の製造
ＡｕＣｌ（０．２３ｇ、０．９９ｍｍｏｌ）を、メタノール（５０ｍｌ）中に溶解させた。先に製造された化合物Ｂ（５．４ｇ、２９ｍｍｏｌ、７％−３６％−４９％の異性体混合物）を添加し、引き続き水（２．０４ｇ、１１３ｍｍｏｌ）を添加した。その反応物を、３時間にわたり還流加熱した。室温に冷却した後に、それをメチルｔ−ブチルエーテルで希釈した。固体を濾別し、メチルｔ−ブチルエーテルですすいだ。濾液を濃縮した。その生成物を、シリカゲル上でのカラムクロマトグラフィー（溶離液：ヘプタン／酢酸エチル  ９９：１）に続いて、バルブ・ツー・バルブ蒸留（１１０℃／０．２ｍｂａｒ）により精製した。
【００６０】
２．８５ｇの所望の生成物（１４ｍｍｏｌ、４８％）が、異性体（１Ｚ，５Ｅ，９Ｅ）、（１Ｚ，５Ｅ，９Ｚ）および（１Ｚ，５Ｚ，９Ｅ）の混合物（それぞれ、６％−６９％−２５％）として得られた。
ＧＣ−ＭＳ分析は、それぞれの異性体についての分子イオンを示す（Ｍ+  ２０４）。
【００６１】
【表３】
2019520448.tif 000009
【００６２】
ｉｖ）１−（（１Ｚ，５Ｅ，９Ｚ）−シクロドデカ−１，５，９−トリエン−１−イル）エタン−１−オンの製造
前記異性体は、４Ｚ，８Ｅ−シクロドデカジエノンから、実施例１の項目ｉ）〜ｉｉｉ）で報告された工程に従って製造した。
【００６３】
【表４】
2019520448.tif 000010
【００６４】
ｖ）１−（（１Ｚ，５Ｅ，９Ｅ）−シクロドデカ−１，５，９−トリエン−１−イル）エタン−１−オンの製造
前記異性体は、４Ｅ，８Ｅ−シクロドデカジエノンから、実施例１の項目ｉ）〜ｉｉｉ）で報告された工程に従って製造した。
【００６５】
【表５】
2019520448.tif 000011
【００６６】
ｖｉ）１−（（１Ｚ，５Ｚ，９Ｅ）−シクロドデカ−１，５，９−トリエン−１−イル）エタン−１−オンの炭素ＮＭＲ
【表６】
2019520448.tif 000012
【００６７】
実施例２
式（Ｉ）のその他の化合物の合成
ｉ）１−シクロドデカ−１，５，９−トリエン−１−カルボニトリルおよび１−シクロドデカ−１，４，８−トリエン−１−カルボニトリルの製造
ヨウ化亜鉛（ＩＩ）（４．５ｇ、１４．２ｍｍｏｌ）およびトリメチルシランカルボニトリル（２０ｇ、２００．０ｍｍｏｌ）を、３７０ｍｌのジクロロメタンに添加した。その懸濁液を０℃に冷却し、シクロドデカ−４，８−ジエン−１−オン（３５ｇ、１９６ｍｍｏｌ、４Ｅ，８Ｅ（５％）異性体、４Ｅ，８Ｚ（４７％）異性体、４Ｚ，８Ｅ（４７％）異性体の混合物、国際公開第２０１２／１７５４３７号パンフレット（ＷＯ２０１２／１７５４３７）を参照）を滴加した。添加が完了したら、その反応物を室温で２時間にわたり撹拌した。該反応混合物を、水性重炭酸ナトリウム上に注ぎ、メチルｔ−ブチルエーテルで２回抽出し、水および飽和塩化ナトリウム溶液で洗浄し、硫酸ナトリウムを通じて乾燥させ、濾過し、そして濃縮した。バルブ・ツー・バルブ蒸留により、１７２ｍｍｏｌの１−（（トリメチルシリル）オキシ）シクロドデカ−４，８−ジエン−１−カルボニトリルの異性体混合物が得られた。
【００６８】
１−（（トリメチルシリル）オキシ）シクロドデカ−４，８−ジエン−１−カルボニトリル（１７２ｍｍｏｌ）およびピリジン（１５０ｍＬ）の５０ｍｌのトルエン中の混合物に、塩化ホスホリル（５０ｍｌ、４７３ｍｍｏｌ）を室温で滴加した。その反応物を３時間にわたり還流加熱し、次いで室温に冷却した。該反応混合物を氷上にゆっくり注ぎ、メチルｔ−ブチルエーテルで２回抽出し、５％塩酸、水性重炭酸ナトリウム、水および飽和塩化ナトリウム溶液で洗浄し、硫酸ナトリウムを通じて乾燥させ、濾過し、そして濃縮した。バルブ・ツー・バルブ蒸留により、５３％の１−シクロドデカ−１，５，９−トリエン−１−カルボニトリルの異性体および２１％の１−シクロドデカ−１，４，８−トリエン−１−カルボニトリルの異性体を含有する４０ｇの粗製材料が得られた。１−シクロドデカ−１，５，９−トリエン−１−カルボニトリル（５０℃〜５５℃）および１−シクロドデカ−１，４，８−トリエン−１−カルボニトリル（６７℃）は、０．１ｍｂａｒでの分別蒸留により分離することができる。
【００６９】
ｉｉ）先の工程ｉ）で得られたニトリルからアルデヒドを合成するための一般的手順ＧＰ１
ニトリル（８７ｍｍｏｌ）を、８０ｍｌのジクロロメタン中に溶解させ、その溶液を−７８℃に冷却した。水素化ジイソブチルアルミニウム（１２０ｍｌ、ジクロロメタン中１Ｍ、１２０ｍｍｏｌ）を、−６０℃未満の温度に保ちながら滴加した。添加が完了したら、その反応混合物を、冷５％塩酸溶液上にゆっくり注いだ。該混合物を、室温で１６時間にわたり撹拌し、次いでメチルｔ−ブチルエーテルで２回抽出し、飽和塩化ナトリウム溶液で洗浄し、硫酸ナトリウムを通じて乾燥させ、濾過し、そして濃縮した。
【００７０】
ｉｉｉ）先の工程ｉｉ）で得られたアルデヒドから第二級アルコールを合成するための一般的手順ＧＰ２
アルデヒド（１３．１ｍｍｏｌ）を、３０ｍｌのＴＨＦ中に溶解させ、その溶液を０℃に冷却した。臭化アルキルマグネシウム（１５．０ｍｌ、ＴＨＦ中１Ｍ、１５．０ｍｍｏｌ）を滴加した。添加が完了したら、該反応混合物を、塩化アンモニウム溶液上にゆっくり注ぎ、次いでメチルｔ−ブチルエーテルで２回抽出し、水および飽和塩化ナトリウム溶液で洗浄し、硫酸ナトリウムを通じて乾燥させ、濾過し、そして濃縮した。
【００７１】
ｉｖ）先の工程ｉｉｉ）で得られた第二級アルコールを酸化させてケトンを得るための一般的手順ＧＰ３
アルコール（５．５ｍｍｏｌ）を、１５ｍｌのジクロロメタン中に溶解させ、その溶液を０℃に冷却した。デス・マーチンペルヨージナン（３．０ｇ、７．１ｍｍｏｌ）を固体として小分けにして添加した。その反応物を、室温で１０分間にわたり撹拌し、その温度で白色の沈殿物が現れた。該反応混合物を、５％水酸化ナトリウム溶液上にゆっくり注ぎ、次いでメチルｔ−ブチルエーテルで２回抽出し、水および飽和塩化ナトリウム溶液で洗浄し、硫酸ナトリウムを通じて乾燥させ、濾過し、そして濃縮した。
【００７２】
ｖ）前記手順に従って得られた化合物の特性評価
シクロドデカ−１，５，９−トリエン−１−カルバルデヒド：
シクロドデカ−１，５，９−トリエン−１−カルバルデヒドは、工程ｉ）で得られたシクロドデカ−１，５，９−トリエン−１−カルボニトリルのＧＰ１に従う還元から得られ、それは、さらなる精製を行わずに後続工程に送られた。
【００７３】
シクロドデカ−１，４，８−トリエン−１−カルバルデヒド：
ＧＰ１に従って、工程ｉ）で得られたシクロドデカ−１，４，８−トリエン−１−カルボニトリル（１．８ｇ、９．６ｍｍｏｌ）から出発して、シクロドデカ−１，４，８−トリエン−１−カルバルデヒド（９５％純度、４１０．０ｍｇ、２．２ｍｍｏｌ）は、シリカゲル上でのカラムクロマトグラフィー（溶離液：ヘプタン／酢酸エチル  ９９：１）およびバルブ・ツー・バルブ蒸留（１００℃、０．１ｍｂａｒ）による精製後に異性体混合物として得られた。
ＧＣ−ＭＳ分析は、それぞれの異性体についての分子イオンを示す（Ｍ+  １９０）。
【００７４】
【表７】
2019520448.tif 000013
【００７５】
１−（シクロドデカ−１，５，９−トリエン−１−イル）エタン−１−オール：
ＧＰ２に従って、シクロドデカ−１，５，９−トリエン−１−カルバルデヒド（１５．６ｇ、８２ｍｍｏｌ）および臭化メチルマグネシウム（６０ｍｌ、ＴＨＦ中１．４Ｍ、８４ｍｍｏｌ）から出発して、１−（シクロドデカ−１，５，９−トリエン−１−イル）エタン−１−オール（１０ｇ）は、バルブ・ツー・バルブ蒸留（１１５℃、０．１ｍｂａｒ）による精製後に異性体混合物として得られた。
ＧＣ−ＭＳ分析は、それぞれの異性体についての分子イオンを示す（Ｍ+  ２０６）。
【００７６】
１−（シクロドデカ−１，５，９−トリエン−１−イル）プロパン−１−オール：
ＧＰ２に従って、シクロドデカ−１，５，９−トリエン−１−カルバルデヒド（３．０ｇ、１５．８ｍｍｏｌ）および臭化エチルマグネシウム（７．９ｍｌ、ＴＨＦ中２Ｍ、１５．８ｍｍｏｌ）から出発して、１−（シクロドデカ−１，５，９−トリエン−１−イル）プロパン−１−オール（１．７ｇ）は、シリカゲル上でのカラムクロマトグラフィー（溶離液：ヘプタン／酢酸エチル  ９９：１〜９７：３）およびバルブ・ツー・バルブ蒸留（１３０℃、０．１ｍｂａｒ）による精製後に異性体混合物として得られた。
ＧＣ−ＭＳ分析は、それぞれの異性体についての分子イオンを示す（Ｍ（−Ｈ2Ｏ）+  ２０２）。
【００７７】
１−（シクロドデカ−１，５，９−トリエン−１−イル）−２−メチルプロパン−１−オール：
ＧＰ２に従って、シクロドデカ−１，５，９−トリエン−１−カルバルデヒド（２．５ｇ、１３．１ｍｍｏｌ）および臭化イソプロピルマグネシウム（１３．１ｍｌ、ＴＨＦ中１Ｍ、１３．１ｍｍｏｌ）から出発して、１−（シクロドデカ−１，５，９−トリエン−１−イル）−２−メチルプロパン−１−オール（２．５ｇ）は、シリカゲル上でのカラムクロマトグラフィー（溶離液：ヘプタン／酢酸エチル  ９９：１〜９７：３）およびバルブ・ツー・バルブ蒸留（１３０℃、０．１ｍｂａｒ）による精製後に異性体混合物として得られた。
ＧＣ−ＭＳ分析は、それぞれの異性体についての分子イオンを示す（Ｍ+  ２３４）。
【００７８】
シクロドデカ−１，５，９−トリエン−１−イル（シクロプロピル）メタノール：
ＧＰ２に従って、シクロドデカ−１，５，９−トリエン−１−カルバルデヒド（２．０ｇ、１０．５ｍｍｏｌ）および臭化イソプロピルマグネシウム（１０．０ｍｌ、ＴＨＦ中１．２６Ｍ、１２．６ｍｍｏｌ）から出発して、シクロドデカ−１，５，９−トリエン−１−イル（シクロプロピル）メタノール（１．１ｇ）は、シリカゲル上でのカラムクロマトグラフィー（溶離液：ヘプタン／酢酸エチル  ９９：１〜９７：３）およびバルブ・ツー・バルブ蒸留（１３０℃、０．１ｍｂａｒ）による精製後に異性体混合物として得られた。
ＧＣ−ＭＳ分析は、それぞれの異性体についての分子イオンを示す（Ｍ+  ２３２）。
【００７９】
１−（シクロドデカ−１，４，８−トリエン−１−イル）エタン−１−オール：
ＧＰ２に従って、シクロドデカ−１，４，８−トリエン−１−カルバルデヒド（２．１ｇ、１１．２ｍｍｏｌ）および臭化メチルマグネシウム（１５ｍｌ、ＴＨＦ中１．４Ｍ、２１．０ｍｍｏｌ）から出発して、１−（シクロドデカ−１，４，８−トリエン−１−イル）エタン−１−オール（１．３ｇ）は、バルブ・ツー・バルブ蒸留（１１５℃〜１３５℃、０．１ｍｂａｒ）後に異性体混合物として得られた。
ＧＣ−ＭＳ分析は、それぞれの異性体についての分子イオンを示す（Ｍ+  ２０６）。
【００８０】
１−（シクロドデカ−１，５，９−トリエン−１−イル）エタン−１−オン：
ＧＰ３に従って、１−（シクロドデカ−１，５，９−トリエン−１−イル）エタン−１−オール（２．４ｇ、１１．７ｍｍｏｌ）およびデス・マーチンペルヨージナン（５．７ｇ、１３．４ｍｍｏｌ）から出発して、１−（シクロドデカ−１，５，９−トリエン−１−イル）エタン−１−オン（０．９ｇ、９８％純度）は、シリカゲル上でのカラムクロマトグラフィー（溶離液：ヘプタン／酢酸エチル  ９９：１）およびバルブ・ツー・バルブ蒸留（１００℃、０．１ｍｂａｒ）による精製後に異性体（１Ｚ，５Ｅ，９Ｅ）、（１Ｚ，５Ｅ，９Ｚ）および（１Ｚ，５Ｚ，９Ｅ）の混合物（それぞれ、６％−３５％−５７％）として得られた。
ＧＣ−ＭＳ分析は、それぞれの異性体についての分子イオンを示す（Ｍ+  ２０４）。
【００８１】
１−（シクロドデカ−１，５，９−トリエン−１−イル）プロパン−１−オン：
ＧＰ３に従って、１−（シクロドデカ−１，５，９−トリエン−１−イル）プロパン−１−オール（１．２ｇ、５．５ｍｍｏｌ）およびデス・マーチンペルヨージナン（３．０ｇ、７．１ｍｍｏｌ）から出発して、１−（シクロドデカ−１，５，９−トリエン−１−イル）プロパン−１−オン（１．０ｇ、９５％純度）は、バルブ・ツー・バルブ蒸留（１１５℃、０．１ｍｂａｒ）後に異性体混合物として得られた。
ＧＣ−ＭＳ分析は、それぞれの異性体についての分子イオンを示す（Ｍ+  ２１８）。
【００８２】
【表８】
2019520448.tif 000014
【００８３】
１−（シクロドデカ−１，５，９−トリエン−１−イル）−２−メチルプロパン−１−オン：
ＧＰ３に従って、１−（シクロドデカ−１，５，９−トリエン−１−イル）−２−メチルプロパン−１−オール（１．０ｇ、４．３ｍｍｏｌ）およびデス・マーチンペルヨージナン（２．４ｇ、５．６ｍｍｏｌ）から出発して、１−（シクロドデカ−１，５，９−トリエン−１−イル）−２−メチルプロパン−１−オン（７５０．０ｍｇ、９６％純度）は、バルブ・ツー・バルブ蒸留（１１５℃、０．１ｍｂａｒ）後に異性体混合物として得られた。
ＧＣ−ＭＳ分析は、それぞれの異性体についての分子イオンを示す（Ｍ+  ２３２）。
【００８４】
【表９】
2019520448.tif 000015
【００８５】
シクロドデカ−１，５，９−トリエン−１−イル（シクロプロピル）メタノン：
ＧＰ３に従って、シクロドデカ−１，５，９−トリエン−１−イル（シクロプロピル）メタノール（０．９ｇ、３．８ｍｍｏｌ）およびデス・マーチンペルヨージナン（１．６ｇ、３．８ｍｍｏｌ）から出発して、シクロドデカ−１，５，９−トリエン−１−イル（シクロプロピル）メタノン（４００．０ｍｇ、７５％純度）は、バルブ・ツー・バルブ蒸留（１１０℃、０．１ｍｂａｒ）後に異性体混合物として得られた。
ＧＣ−ＭＳ分析は、それぞれの異性体についての分子イオンを示す（Ｍ+  ２３０）。
【００８６】
【表１０】
2019520448.tif 000016
【００８７】
１−（シクロドデカ−１，４，８−トリエン−１−イル）エタン−１−オン：
ＧＰ３に従って、１−（シクロドデカ−１，４，８−トリエン−１−イル）エタン−１−オール（１．０ｇ、４．９ｍｍｏｌ）およびデス・マーチンペルヨージナン（２．７ｇ、６．３ｍｍｏｌ）から出発して、１−（シクロドデカ−１，４，８−トリエン−１−イル）エタン−１−オン（３５０．０ｍｇ、９４％純度）は、シリカゲル上でのカラムクロマトグラフィー（溶離液：ヘプタン／酢酸エチル  ９９：１）およびバルブ・ツー・バルブ蒸留（１００℃、０．１ｍｂａｒ）による精製後に異性体混合物として得られた。
ＧＣ−ＭＳ分析は、それぞれの異性体についての分子イオンを示す（Ｍ+  ２０４）。
【００８８】
【表１１】
2019520448.tif 000017
【００８９】
実施例３
賦香性組成物の製造
３種の賦香性組成物（Ａ、Ｂ、Ｃ）を、以下の成分の混合により製造した：
【表１２】
2019520448.tif 000018
【００９０】
【表１３】
2019520448.tif 000019
【００９１】
香料Ｂ）中の１−（（１Ｚ）−シクロドデカ−１，５，９−トリエン−１−イル）エタン−１−オンの存在は、香料Ａ）を初期のウッディ−シダーおよびパウダリー／バイオレットの特徴を大きく増強するとともに、トップノートのフレッシュさを失わせずにアンバーリーな温かさを加えることにより変えた。香料Ｂ）のウッディ、アンバーリー、およびパウダリーなノートの持続性も、香料Ａ）と比べて増強された。
【００９２】
香料Ｃ）中の１−（４，８−シクロドデカジエン−１−イル）−１−エタノンの存在は、香料Ａ）をファッティおよびダスティなノートの付与によってより弱くかつより大幅にフレッシュさが低い芳香へと変えた。香料Ａ）のウッディ、アンバーリー、およびパウダリーなノートの持続性も損なわれた。
【００９３】
全体的に、香料Ｂ）は、香料Ｃ）と比べた場合に、より強く、大幅によりウッディ−シダーであり、よりパウダリーであり、より温かく、そしてファッティおよびダスティではなかった。ウッディ、アンバーリー、およびパウダリーなノートの持続性も大きく増強された。全体的に、該組成物はすべての段階でより力強かった。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2019520448.tif 000023
（式中、一方の点線は炭素−炭素単結合を表し、もう一方は炭素−炭素二重結合を表し、かつＲは、水素原子、またはＣ1〜Ｃ4アルキル基もしくはアルケニル基を表す）の化合物のその立体異性体のいずれか１つの形またはそれらの混合物の、賦香性成分としての使用。
【請求項２】
前記化合物は、式
【化２】
2019520448.tif 000024
（式中、Ｒは、請求項１中と同じ意味を有する）の化合物のその立体異性体のいずれか１つの形またはそれらの混合物であることを特徴とする、請求項１記載の使用。
【請求項３】
Ｒは、Ｍｅ基、Ｅｔ基、ｉＰｒ基、ｎＰｒ基、またはプロパ−２−エン−２−イル基を表すことを特徴とする、請求項１記載の使用。
【請求項４】
Ｒは、Ｍｅ基、またはＥｔ基を表すことを特徴とする、請求項１記載の使用。
【請求項５】
前記化合物は、１−（（１Ｚ）−シクロドデカ−１，５，９−トリエン−１−イル）エタン−１−オンであることを特徴とする、請求項１記載の使用。
【請求項６】
ｉ）請求項１から５までのいずれか１項に定義される少なくとも１種の式（Ｉ）の化合物と、
ｉｉ）香料キャリアーおよび香料基剤からなる群から選択される少なくとも１種の成分と、
ｉｉｉ）任意に、少なくとも１種の香料助剤と、
を含む、賦香性組成物。
【請求項７】
請求項１から５までのいずれか１項に定義される少なくとも１種の式（Ｉ）の化合物、または請求項６に定義される組成物を含む、賦香消費者製品。
【請求項８】
前記香料消費者製品が、香料、ファブリックケア製品、ボディケア製品、化粧用調剤、スキンケア製品、エアケア製品またはホームケア製品であることを特徴とする、請求項７記載の賦香消費者製品。
【請求項９】
前記香料消費者製品は、精製香料、スプラッシュもしくはオードパルファム、コロン、シェーブローションもしくはアフターシェーブローション、液体洗剤もしくは固形洗剤、ファブリック柔軟剤、ファブリックリフレッシャー、アイロン水、ペーパークリーナー、漂白剤クリーナー、カーペットクリーナー、カーテン手入れ用製品、シャンプー、染髪用調剤、カラーケア製品、整髪製品、デンタルケア製品、消毒薬、インティメートケア製品、ヘアスプレー、バニシングクリーム、デオドラントもしくは制汗剤、脱毛剤、タニング用製品もしくは日焼け用製品、ネイル用製品、スキンクレンジング、メークアップ、賦香石けん、シャワー用もしくはバス用のムース、オイルもしくはジェル、または足用／手用ケア製品、衛生製品、エアーフレッシュナー、「すぐに使える」粉末状エアーフレッシュナー、カビ取り剤、調度品ケア、ワイプ、食器用洗剤もしくは硬質表面用洗剤、皮革手入れ用製品、または車手入れ用製品であることを特徴とする、請求項７記載の賦香消費者製品。
【請求項１０】
式
【化３】
2019520448.tif 000025
（式中、一方の点線は炭素−炭素単結合を表し、もう一方は炭素−炭素二重結合を表し、かつＲ1は、水素原子、またはＣ1〜Ｃ3アルキル基もしくはアルケニル基を表す）の化合物。
【請求項１１】
賦香性組成物または賦香物品の匂い特性を付与、増強、改善または変更する方法であって、前記組成物または物品に、式（Ｉ）
【化４】
2019520448.tif 000026
（式中、一方の点線は炭素−炭素単結合を表し、もう一方は炭素−炭素二重結合を表し、かつＲは、水素原子、またはＣ1〜Ｃ4アルキル基もしくはアルケニル基を表す）の少なくとも１種の化合物のその立体異性体のいずれか１つの形またはそれらの混合物の有効量を添加することを含む、方法。
【請求項１２】
前記化合物は、式
【化５】
2019520448.tif 000027
（式中、Ｒは、請求項１中と同じ意味を有する）の化合物のその立体異性体のいずれか１つの形またはそれらの混合物であることを特徴とする、請求項１１記載の方法。
【請求項１３】
Ｒは、Ｍｅ基、Ｅｔ基、ｉＰｒ基、ｎＰｒ基、またはプロパ−２−エン−２−イル基を表すことを特徴とする、請求項１１記載の方法。
【請求項１４】
Ｒは、Ｍｅ基、またはＥｔ基を表すことを特徴とする、請求項１１記載の方法。
【請求項１５】
前記化合物は、１−（（１Ｚ）−シクロドデカ−１，５，９−トリエン−１−イル）エタン−１−オンであることを特徴とする、請求項１１記載の方法。
【国際調査報告】
2019520448.tif 000028
2019520448.tif 000029
2019520448.tif 000030